(57)【要約】      （修正有）【課題】扉の強度及び稼動のためのスペースを確保できる自閉構造用ローラを提供する。【解決手段】扉を支持する扉一側の扉の上部ピンの水平断面を扉一側縁方向一辺のみを直線として他を円とし、その上部ピンを差込む上部受穴７も扉一側縁方向一辺のみを直線としさらに上部ピンを差込んだまま回転可能となる穴形状とし、扉が扉一側に支持されることにより扉の重力により、上部ピンと上部受穴７は直線部が互いに合わさる位置へと強制されるようにし、一方の下部ピンは下部ピンを受ける下部受穴と共に水平断面を円とし、先端を抵抗の少ない滑らかな突起形状にすることにより、扉の垂直方向の重力を支えて回転可能な状態で保持される構造とする。さらに、上部受穴の直線部を磁石９を用いた直線部とすることにより、形状だけでなく磁石９による吸引力や吸着力により自閉力や停止力を強めた構造とする。【選択図】図８
2011080341.tif 000002
【特許請求の範囲】
【請求項１】
扉を支持する扉一側の扉の上部と下部に、それぞれ垂直方向を向いた上部ピンと下部ピンを設け、これら上部ピンと下部ピンの互いに近い先端を結ぶ軸線が、扉一側縁に対して上方に開いた小さな角度をなすように設け、扉が開いた時にこの軸線の傾斜角度により軸線を中心にして扉が重力により閉る方向に回転するようにし、上部ピンの水平断面は扉一側縁方向の一辺のみを直線として他を円とし、その上部ピンを垂直方向から差込む上部受穴は上部ピンの水平断面と同様に、扉一側縁方向に一辺の直線を持つ形状に加え上部ピンを差込んだまま回転可能となるよう、扉一側縁と反対の水平方向に半円形のスペースを広げた穴形状とし、扉が扉一側に支持されることにより扉の重力により、上部ピンと上部受穴は直線部が互いに合わさる位置へと強制され、下部ピンは下部ピンを受ける下部受穴と共に水平断面を円とし、扉の垂直方向の重力を支えて下部受穴取付具が回転可能な状態で保持される構造としたことを特徴とする揺動扉の自閉構造。
【請求項２】
前記の、上部ピンを受ける上部受穴の扉一側縁方向の一辺の直線部を磁石や磁石に吸着させた継鉄（ヨーク）で形成し、上部受穴に差込む上部ピンの一辺の直線部のみを磁性体とし他を非磁性体とすることにより、形状だけでなく磁石や磁石に吸着させた継鉄（ヨーク）の直線部と、上部ピンの直線部の磁性体との吸引力や吸着力により、扉の自閉力および停止力を強めた請求項１に記載の揺動扉の自閉構造。
【請求項３】
前記の、磁石や磁石に吸着させた継鉄（ヨーク）を取付けるために磁石台座を設け、その磁石台座の取付位置を可変することにより、扉の停止位置の微調整を可能とした請求項２に記載の揺動扉の自閉構造。
【発明の詳細な説明】
【技術分野】
【０００１】  本発明は、揺動する扉の自閉構造に関するものである。
【背景技術】
【０００２】  従来の揺動する扉の自閉構造には、扉を支持する側の上部および下部に垂直方向のピンを設け、それらのピンを通る軸線が扉の一側縁と上方に開いた小さな角度をなすように設け、上部ピンには水平に貫通ささせた回転可能なローラーピンを保持させ、ローラーピン両側の対称的位置に一対の回転可能なローラーを有し、上部ピンはローラープレート内の開口を通って延長し、かつこのローラープレートには上記開口の対称的位置にそれぞれ上記一対の支持要素を受け入れるための凹みが設けられ、扉は常時は重力によってローラーが上記のローラープレートの凹み内にきちんと配置される位置へと強制されるように配置されているものはある（例えば、特許文献１参照）。
【先行技術文献】
【特許文献】
【０００３】
【特許文献１】  特公昭４３−９１６０号公報
【発明の概要】
【発明が解決しようとする課題】
【０００４】  従来の構造では、ローラーやローラーピン、ローラープレートの稼動を必要とするため、ローラーやローラーピン、ローラープレートの磨耗や破損などの不具合により作動不良を起こすことがある。【０００５】  さらに、従来の構造ではローラーを一対にしてローラープレートを水平面で回転させるため、これら稼動するローラーやローラーピン、ローラープレートなどを収納するための大きなスペースやそれら全体を隠すためのヒンジカバーを必要とし、実用的にもデザイン的にも好ましいものではない。【０００６】  また、従来の構造では扉の重量を支えているローラーやローラーピン、ローラープレートは大きなスペースを必要とするため、扉の下部では邪魔になり扉の上部に設けられており、扉の上部取付部やその枠側には扉の重量を支えるための強度が必要となっている。【０００７】  本発明は、このような従来の構造が有していた問題を解決しようとするものであり、ローラーやローラーピン、ローラープレートなどを全てなくすことによりそれらを隠すためのヒンジカバーもいらず、これら稼動部に起因する不具合をなくしデザイン性の高い揺動扉の自閉構造を実現することを目的とするものである。
【課題を解決するための手段】
【０００８】  本発明は、扉を支持する扉一側の扉の上部と下部に、それぞれ垂直方向を向いた上部ピンと下部ピンを設け、これら上部ピンと下部ピンの互いに近い先端を結ぶ軸線が、扉一側縁に対して上方に開いた小さな角度をなすように設け、扉が開いた時にこの軸線の傾斜角度により軸線を中心にして扉が重力により閉る方向に回転するようにし、上部ピンの水平断面は扉一側縁方向の一辺のみを直線として他を円とし、その上部ピンを垂直方向から差込む上部受穴は上部ピンの水平断面と同様に、扉一側縁方向に一辺の直線を持つ形状に加え上部ピンを差込んだまま回転可能となるよう、扉一側縁と反対の水平方向に半円形のスペースを広げた穴形状とし、扉が扉一側に支持されることにより扉の重力により、上部ピンと上部受穴は直線部が互いに合わさる位置へと強制され、下部ピンは下部ピンを受ける下部受穴と共に水平断面を円とし、先端を抵抗の少ない滑らかな突起や小球回転ボールなどにすることにより、扉の垂直方向の重力を支えて下部受穴取付具が回転可能な状態で保持される構造としたことを特徴とする。【０００９】  さらに、前記の上部ピンを受ける上部受穴の扉一側縁方向の一辺の直線部を磁石や磁石に吸着させた継鉄（ヨーク）で形成し、上部受穴に差込む上部ピンの一辺の直線部のみを磁性体とし他を非磁性体とすることにより、形状だけでなく磁石や磁石に吸着させた継鉄（ヨーク）の直線部と、上部ピンの直線部の磁性体との吸引力や吸着力により、扉の自閉力および停止力を強めたものである。【００１０】  また、磁石や磁石に吸着させた継鉄（ヨーク）を取付けるために磁石台座を設け、その磁石台座の取付位置を可変することにより、扉の停止位置の微調整を可能とした。【００１１】  上記の構造により、扉は開かれると軸線の傾斜により傾き、重力によって指定停止位置に向かって動き、指定停止位置に近づくと、上部ピンの一辺の直線部と上部受具に設けられた穴部の一辺の直線部が、形状および磁力によって接合し確実に指定停止位置に停止することができる。
【発明の効果】
【００１２】  従来の構造では、ローラーやローラーピン、ローラープレートの稼動を必要とするため、ローラーやローラーピン、ローラープレートの磨耗や破損などの不具合により作動不良を起こすことがあったが、本発明のおいてはこれらの部品をまったく必要としないためその心配がなくなる。【００１３】  さらに、従来の構造ではローラーを一対にしてローラープレートを水平面で回転させるため、これら稼動するローラーやローラーピン、ローラープレートを収納するための大きなスペースとそれらを隠すためのヒンジカバーを必要とするが、本発明においてはこれらの部品やヒンジカバーを必要としないため、コンパクトですっきりしたかたちとなり、デザイン性を大幅に向上させることができる。【００１４】  また、従来の構造では扉の重量を支えているローラーやローラーピン、ローラープレートは大きなスペースを必要とするため、扉の下部では邪魔になり扉の上部に設けられており、扉の上部取付部やその枠側には扉の重量を支えるための強度が必要となっているが、本発明ではローラーやローラーピン、ローラープレートのための大きなスペースを必要としないため、扉の重量は扉の下部で支えられ扉の上部取付部やその枠側には扉の重量を支えるための強度を必要としない。
【図面の簡単な説明】
【００１５】
【図１】  本発明の揺動扉全体を示す正面図である。
【図２】  上部ピン取付具の斜視図である。
【図３】  上部受穴取付具の斜視図である。
【図４】  扉が定まった指定停止位置にあるときの上部ピンと上部ピン穴の位置関係を示した水平断面図である。
【図５】  扉が少し開いたときの上部ピンと上部ピン穴の位置関係を示した水平断面図である。
【図６】  下部受穴取付具を垂直均等二分割して内部を示した斜視図である。
【図７】  下部ピン取付具の斜視図である。
【図８】  磁石を用いた上部受穴取付具を垂直均等二分割して内部を示した斜視図である。
【図９】  上部受穴取付具に磁石を用いたときの上部ピン取付具の磁性体と非磁性体の位置を示した斜視図である。
【発明を実施するための形態】
【００１６】  以下、図を参照しながら本発明の実施形態を説明する。
【００１７】  以下の説明では、上部ピン３と下部ピン４を枠側とし、上部受穴７と下部受穴８を扉側に設けた形態について説明するが、逆に上部ピン３と下部ピン４を扉側とし、上部受穴７と下部受穴８を枠側に設けた場合も本発明に包含されるものである。
【００１８】  図１は、扉を支持する扉一側の上部と下部に、それぞれ垂直方向を向いた上部ピン３と下部ピン４を設け、これら上部ピン３と下部ピン４の互いに近い先端を結ぶ軸線が、扉一側縁に対して上方に開いた小さな角度をなすように設け、扉が開いた時にこの軸線の傾斜角度により軸線を中心にして扉が重力により閉じる方向に回転することを示す。
【００１９】  図２は、上部ピン取付具１の上部ピン３の水平断面は扉一側縁方向の一辺のみを直線とし他を円とすることを示す。
【００２０】  図３は、上部ピン３を垂直方向から差込む上部受穴７は上部ピン３の水平断面と同様に、扉一側縁方向に一辺の直線部を持つ形状に加え上部ピン３を差込んだまま回転可能となるよう、扉一側縁と反対の水平方向に半円形のスペースを広げた形状であることを示す。
【００２１】  図４は、上部ピン３が上部受穴７に差込まれた状態の水平断面で、扉が扉一側に支持されることにより扉の重力により、上部ピン３と上部受穴７の直線部が互いに合わさる位置へと強制され扉が閉じている状態を示す。
【００２２】  図５は、図４の扉が閉じた状態に対し、人為的に扉を少し開いた状態の上部ピン３と上部受穴７の位置関係を示す。
【００２３】  図６は、下部受穴取付具６を均等二分割した図で、下部ピン４が差込まれる円形の下部受穴８と下部ピン４を受け止める下部ピン止１３により、扉の垂直方向の重力を支えて回転可能な状態で保持される構造を示す。
【００２４】  図７は、下部ピン取付具２における下部ピン４の位置と、下部ピン４に対して下部受穴具６が回転可能となる一形状であることを示す。
【００２５】  図８は、磁石を用いた上部受穴取付具５を均等二分割した図で、上部ピン３を受ける上部受穴７の扉一側縁方向の一辺の直線部を磁石９や磁石９に吸着させた継鉄（ヨーク）１０で形成し、上部受穴７に差込む上部ピン３の一辺の直線部のみを磁性体１４とし他を非磁性体１５とすることにより、形状だけでなく磁石９や磁石９に吸着させた継鉄（ヨーク）１０の直線部と上部ピン３の直線部の磁性体１４との吸引力や吸着力により扉の自閉力および停止力を強め、さらに上部受穴取付具５と磁石台座１１に設けた調整ネジ穴１２のネジの締付け位置を可変することにより、扉の停止位置の調整を可能にしたことを示す。
【００２６】  図９は、図８における上部ピン３の一辺の直線部のみを磁性体１４とし他を非磁性体１５としたことを示す。
【産業上の利用可能性】
【００２７】故障しにくいデザイン性に優れた自閉構造の揺動扉を提供できる。
【符号の説明】
【００２８】    １  上部ピン取付具
２  下部ピン取付具
３  上部ピン
４  下部ピン
５  上部受穴取付具
６  下部受穴取付具
７  上部受穴
８  下部受穴
９  磁石
１０  継鉄（ヨーク）
１１  磁石台座
１２  調整ネジ穴
１３  下部ピン止
１４  磁性体
１５  非磁性体
【図１】
2011080341.tif 000003
【図２】
2011080341.tif 000004
【図３】
2011080341.tif 000005
【図４】
2011080341.tif 000006
【図５】
2011080341.tif 000007
【図６】
2011080341.tif 000008
【図７】
2011080341.tif 000009
【図８】
2011080341.tif 000010
【図９】
2011080341.tif 000011